(57)【要約】      （修正有）【課題】蓋碗を持つ時に安定せず、火傷することもある問題を解決し、使用が便利で、操作が簡単である中国茶用蓋碗及びその碗体の構造を提供する。【解決手段】中国茶用蓋碗は、碗体１０を含む。碗体は底部及び底部の四方から上向きに延びる環状周囲面１２を備え、環状周囲面の最上部には開口１３を備え、底部の少なくとも一部分に側辺へ延びる底掛合部１４を備える。他に碗フタ２０を含む。碗フタは茶湯注ぎ口２１を備える。親指で碗フタを掛合し、人差し指、中指、薬指及び小指で底掛合部の底部を掛合する。【選択図】図１
0003212370.tif 000002
【実用新案登録請求の範囲】
【請求項１】
主に碗体及び碗フタから構成された中国茶用蓋碗において、
底部及び底部の四方から上向きに延びる環状周囲面を備え、環状周囲面の最上部には開口を備え、該底部の少なくとも一部分に側辺へ延びる底掛合部を備える碗体と、
開口を蓋をするのに用い、該碗フタは茶湯注ぎ口を備える碗フタを含むことを特徴とする中国茶用蓋碗。
【請求項２】
前記底掛合部は、底部の四方から外向きに延びて円盤状を形成することを特徴とする請求項１記載の中国茶用蓋碗。
【請求項３】
前記底部は脚台を備え、該底掛合部は該脚台上に設置することを特徴とする請求項１もしくは２記載の中国茶用蓋碗。
【請求項４】
前記底掛合部には穿設した穿孔を複数個備えることを特徴とする請求項１もしくは２記載の中国茶用蓋碗。
【請求項５】
前記中国茶用蓋碗は、該碗体開口位置には内凸縁を成形し、該碗フタは辺縁を備え、該内凸縁は該碗フタの辺縁を押さえるのに用い、該碗フタは環状周囲面の、コ側間及び内凸縁上で制限されることを特徴とする請求項１もしくは２記載の中国茶用蓋碗。
【請求項６】
前記底掛合部と碗体の底部間には間隙を備え、該底掛合部と脚台の底部の間は間隔を備えることを特徴とする請求項３記載の中国茶用蓋碗。
【請求項７】
中国茶用蓋碗の碗体構造において、該碗体は底部及び底部の四方から上向きに延びる環状周囲面を備え、環状周囲面の最上部には開口を備え、該底部の少なくとも一部分に側辺へ延びる底掛合部を備えることを特徴とする中国茶用蓋碗の碗体の構造。
【請求項８】
前記底掛合部は底部の四方から外向きに延びて円盤状を形成することを特徴とする請求項７記載の中国茶用蓋碗の碗体の構造。
【請求項９】
前記底部は脚台を備え、該底掛合部は該脚台上に設置することを特徴とする請求項７もしくは８記載の中国茶用蓋碗の碗体の構造。
【請求項１０】
前記底掛合部には穿設した穿孔を複数個備えることを特徴とする請求項７もしくは８記載の中国茶用蓋碗の碗体の構造。
【請求項１１】
前記中国茶用蓋碗の碗体構造は、該碗体環状周囲面の上端の開口に近い位置に内凸縁を設置することを特徴とする請求項７もしくは８記載の中国茶用蓋碗の碗体の構造。
【請求項１２】
前記底掛合部と碗体の底部間には間隙を備え、該底掛合部と脚台の底部の間は間隔を備えることを特徴とする請求項９記載の中国茶用蓋碗の碗体の構造。
【考案の詳細な説明】
【技術分野】
【０００１】
本考案は、中国茶器に関するもので、特に中国茶用蓋碗及びその碗体の構造に係る。
【背景技術】
【０００２】
一般の蓋碗は、碗体、碗フタ及び茶托を含む。碗フタは碗体を蓋をするのに用い、お茶を愉しむ時、茶を碗体の中に淹れるか、もしくは淹れた茶を急須から碗体の中に注ぎ入れ、碗体を茶托に置き、そして茶を愉しむ。これが一派的な茶の楽しみ方である。
【０００３】
図６、７に示すとおり、蓋碗で茶を淹れる時、主に茶葉９８を碗体９０の中に入れ、熱湯８０で茶葉を開かせ、碗体９０内の茶湯８１を茶海９９(もしくは湯呑み)の中に注ぎ入れる。図６に示すのは、茶湯を注ぎ入れる時の操作を表示した指示図である。操作時、碗フタ９３を一側斜めに開き、親指９４、中指９５及び薬指９６で碗体９０の碗口９１の両側を握り、人差し指９７で碗フタ９３を引っ掛けて動かないようにする。次に手９２で碗体９０を傾斜し、茶湯８１を碗フタ９３の斜めに開いた箇所から茶海９９内に注ぎ入れる（図７参照）。
【考案の概要】
【考案が解決しようとする課題】
【０００４】
解決しようとする問題点として、茶の淹れ方について一つ目は親指９４、中指９５及び薬指９６が直接碗体９０碗口９１を握るため、碗体９０の熱が直接親指９４、中指９５及び薬指９６に伝わる。そのため、高温の場合、安定して握り続けることができず、手は操作の過程において、熱さのために反射的に高熱の碗体９０を離してしまい、碗体９０を落として割ってしまうことがあり、更に熱い茶湯が撥ね、人にやけどを負わせることもある点である。二つ目は碗フタ９３は碗体９０の開口に傾斜して蓋をする際、不安定な状態になるため、操作が困難になる他に、滑ったり火傷をしたり、碗を落としてしまいやすくなる。更に碗フタ９３一側を斜めに開けると、その開口が長くなりすぎ、湯を注ぐ時、撥ねたり、やけどしやすくなる点である。
【課題を解決するための手段】
【０００５】
従来の技術の各種問題を改善するため、本考案は中国茶用蓋碗を提供する。
【０００６】
本考案の中国茶用蓋碗は、碗体を含む。該碗体は底部及び底部の四方から上向きに延びる環状周囲面を備え、環状周囲面の最上部には開口を備え、該底部の少なくとも一部分に側辺へ延びる底掛合部を備える。碗フタは、該碗体の開口を蓋をするのに用い、該碗フタは茶湯注ぎ口を備える。
【０００７】
上述の中国茶用蓋碗において、該底掛合部は底部の四方から外向きに延びて円盤状を形成する。
【０００８】
上述の中国茶用蓋碗において、該底部は脚台を備え、該底掛合部は該脚台上に設置する。
【０００９】
上述の中国茶用蓋碗において、該底掛合部上には貫通する複数個の穿孔を備える。
【００１０】
上述の中国茶用蓋碗において、該碗体開口位置には内凸縁を成形し、該碗フタは辺縁を備え、該内凸縁は該碗フタの辺縁を押さえるのに用い、該碗フタは環状周囲面の、コ側間及び内凸縁上で制限される。
【００１１】
上述の中国茶用蓋碗において、該底掛合部と碗体底部の間は間隙を備え、該底掛合部と脚台の底部の間は間隔を備える。
【００１２】
本考案は他に、中国茶用蓋碗の碗体構造を提供する。該碗体は底部及び底部の四方から上向きに延びる環状周囲面を備え、環状周囲面の最上部には開口を備え、該底部の少なくとも一部分に側辺へ延びる底掛合部を備える。
【００１３】
上述の中国茶用蓋碗の碗体の構造において、そのうち、該底掛合部は底部の四方から外向きに延びて円盤状を形成する。
【００１４】
上述の中国茶用蓋碗の碗体の構造は、そのうち、該底部は脚台を備え、該底掛合部は該脚台上に設置する。
【００１５】
上述の中国茶用蓋碗の碗体の構造は、そのうち、該底掛合部上には貫通する複数個の穿孔を備える。
【００１６】
上述の中国茶用蓋碗の碗体の構造は、そのうち、該碗体環状周囲面の上端の開口に近い位置には内凸縁を設置する。
【００１７】
上述の中国茶用蓋碗の碗体の構造は、そのうち、該底掛合部と碗体底部の間は間隙を備え、該底掛合部と脚台の底部の間は間隔を備える。
【００１８】
本考案を使用する時、親指で碗フタを掛合し、人差し指、中指、薬指及び小指で碗体の底掛合部を掛合し、手で碗体を傾斜し、茶湯を碗フタの茶湯注ぎ口から注ぎ出す。
【考案の効果】
【００１９】
本考案の中国茶用蓋碗及びその碗体の構造の利点として、一つ目は操作時、手指で碗フタつまみ及び底掛合部を掛合することで、碗フタ及び底掛合部が非常に安定するため、握りやすく滑り落ちにくい。二つ目は、本考案の使用操作は手指で碗フタつまみ及び底掛合部を掛合することで、お茶を淹れる時、碗体の熱が手指に伝わらない（もしくは少々伝わるだけ）ので、手に火傷を負わず、安全に使用できる。三つ目は、本考案の茶湯注ぎ口の幅及び流量は計算及び設計によって、制御範囲であるため、茶湯を注ぐ時に、飛び跳ねないという利点がある。
【図面の簡単な説明】
【００２０】
【図１】本考案の中国茶用蓋碗の立体分解図である。
【図２】本考案の中国茶用蓋碗の立体組立図である。
【図３】図２の縦断面図である。
【図４】本考案の操作指示図である。
【図５】本考案の湯を注ぐ時の指示図である。
【図６】公知の蓋碗操作指示図である。
【図７】公知の蓋碗に湯を注ぐ時の指示図である。
【考案を実施するための形態】
【００２１】
本考案の特徴と要点を更に理解するため、良好な実施例を挙げ、図示しながら以下に詳細に説明する。
【００２２】
図１から５に示すとおり、本考案の良好な実施例が提供する中国茶用蓋碗１００は、碗体１０及び碗フタ２０を含む。
【００２３】
実施例において、該碗体１０は、底部１１を備え、該底部１１の周囲は一体で、且つ連続して環状周囲面１２が上向きに延び、該環状周囲面１２が碗体内部空間１９を囲み、在該環状周囲面１２の最上部は、外向きに傾斜した開口１３を備える。該開口１３は碗体内部空間１９を外部に通じさせ、碗体１０の底部１１の少なくとも一部分は側辺向きに延びた底掛合部１４を備え、本実施例の底掛合部１４は、底部１１の四方から外向きに円盤状に延びる。
【００２４】
実施例において、該碗体１０の底部１１は脚台１５を備える。該底掛合部１４は該脚台１５上に設置し、脚台１５の四方から延びて円盤状を形成する。更に該底掛合部１４と碗体１０の底部１１の間は間隙Ｇを備える。該間隙Ｇは、1〜５mmの間で介在し、底掛合部１４を碗体１０から遠ざけることで、断熱効果を更に高める。
【００２５】
実施例において、該底掛合部１４上には該底掛合部１４を貫通した穿孔１６を複数個備える。これらの穿孔１６は、碗体１０から底掛合部１４上に伝わった熱を即座に放熱させる。それによって、該底掛合部１４の放熱効果は更に高まる。
【００２６】
その他、実施例において、該底掛合部１４と脚台１５の底部の間には間隔Lを備える。間隔Lは5〜25mmの間に介在し、15〜20mmの間の介在がより良好である。該間隔Lは碗体１０を平面(例としてテーブル)に置いた時、操作者の手指の先は、底掛合部１４に掛合し、操作が便利で美観及びバランスの良さを兼ね備える。
【００２７】
実施例において、該碗体１０の環状周囲面１２の上端の開口１３に近い位置には、内凸縁１７を環状に設置し、碗フタ２０の支えとなる。実施例において、該内凸縁１７の最上部は平面である。
【００２８】
実施例において、該碗フタ２０は、碗体１０開口１３の内凸縁１７の形状及び大きさに合わせ、その四方には辺縁２５を備え、その一側の辺縁２５に近い箇所に茶湯注ぎ口２１を備える。茶湯注ぎ口２１は多数個の小孔が穿設される。本実施例の碗フタ２０には更につまみ２２を備える。該つまみ２２は連結部２３を備え、碗フタ２０を連結し、つまみ２２の最上部には面２４を備える。該面２４は紋様を設置してもよく、つまみ２２は持ちやすくなる他に、押さえたり滑り止めにするのに便利である。
【００２９】
本考案使用及び操作方法は以下のとおりである。碗フタ２０を開け、茶葉４０を碗体内部空間１９内に入れる。そして熱湯を注ぎ入れた後、碗フタ２０を蓋をする。該碗フタ２０の辺縁２５は内凸縁１７上で押さえ、碗体１０の環状周囲面１２の、コ側間で制限されるため、非常に安定する。図４に示すとおり、使用者は、親指３２で碗フタ２０を掛合し、人差し指３３、中指３４、薬指３５及び小指３６で底掛合部１４の底部を掛合する。それによって、手軽に安定して手で本考案を押さえ、そして持つ。茶湯を淹れる時、茶湯注ぎ口２１は容器３０(例として当実施例は茶海)に対して碗体１０を一角度傾斜させ、茶湯４１を茶湯注ぎ口２１から容器３０内に注ぎ入れる。使用が便利で、操作が簡単である。
【符号の説明】
【００３０】
〈周知〉
８０  熱湯
８１  茶湯
９０  碗体
９１  碗口
９２  手
９３  碗フタ
９４  親指
９５  中指
９６  薬指
９７  人差し指
９８  茶葉
９９  茶海
〈本考案〉
１００  中国茶用蓋碗
１０  碗体
１１  底部
１２  環状周囲面
１３  開口
１４  底掛合部
１５  脚台
１６  穿孔
１７  内凸縁
１９  碗体内部空間
２０  碗フタ
２１  茶湯注ぎ口
２２  つまみ
２３  連結部
２４  面
２５  辺縁
３    容器
３２  親指
３３  人差し指
３４  中指
３５  薬指
３６  小指
４０  茶葉
４１  茶湯
Ｇ    間隙
Ｌ    間隔
【図１】
0003212370.tif 000003
【図２】
0003212370.tif 000004
【図３】
0003212370.tif 000005
【図４】
0003212370.tif 000006
【図５】
0003212370.tif 000007
【図６】
0003212370.tif 000008
【図７】
0003212370.tif 000009